(57)【要約】【課題】カラー画像を表示する表示装置の開口率を高くする。【解決手段】赤、緑、青の三色の画素Ｒ，Ｇ，Ｂを、行毎に、二つの赤色画素Ｒ，Ｒと二つの緑色画素Ｇ，Ｇと一つの青色画素Ｂとが同色の画素同士が隣り合わないように所定の順で並んだ配列順の繰り返しで配置する。【選択図】図５
2012078491.tif 000002
【特許請求の範囲】
【請求項１】
カラー画像を表示する表示装置であって、
赤、緑、青の三色の画素が複数行及び複数列に配列され、且つ行毎に、前記三色の画素が、二つの赤色画素と二つの緑色画素と一つの青色画素とが同色の画素同士が隣り合わないように所定の順で並んだ配列順の繰り返しで配置されていることを特徴とする表示装置。
【請求項２】
前記二つの赤色画素と二つの緑色画素と一つの青色画素は、緑色画素、青色画素、赤色画素、緑色画素、赤色画素の順で並んでいることを特徴とする請求項１に記載の表示装置。
【請求項３】
前記二つの赤色画素と二つの緑色画素と一つの青色画素は、赤色画素、青色画素、緑色画素、赤色画素、緑色画素の順で並んでいることを特徴とする請求項１に記載の表示装置。
【請求項４】
前記三色の画素は、同じ形状及び面積を有しており、前記行方向に一定のピッチで配置されていることを特徴とする請求項１〜３の何れかに記載の表示装置。
【請求項５】
カラー画像を表示する表示装置であって、
赤、緑、青の三色の画素が複数行及び複数列に配列され、且つ行毎に、前記三色の画素が、二つの赤色画素と二つの緑色画素と一つの青色画素とが同色の画素同士が隣り合わないように所定の順で並んだ配列順の繰り返しで配置された表示素子と、
前記各赤色画素に、赤の階調データに対応した電圧値のデータ信号を印加し、前記各緑色画素に、緑の階調データに対応した電圧値のデータ信号を印加し、前記各青色画素に、青の階調データを所定の条件で補正した補正階調データに対応した電圧値のデータ信号を印加する駆動手段と、
を備え、
前記所定の順で並んだ二つの赤色画素と二つの緑色画素と一つの青色画素により二座標分のカラードットを表現することを特徴とする表示装置。
【請求項６】
前記駆動手段は、
表示するカラー画像の走査線方向の各座標点の色情報それぞれが赤、緑、青の三色の階調データを含む画像データを供給され、
前記所定の順で並んだ二つの赤色画素と二つの緑色画素と一つの青色画素のうち、
第一の赤色画素に、前記走査線方向の隣り合う二つの座標点のうちの一方の座標点の赤の階調データに対応した電圧値のデータ信号を印加し、
第二の赤色画素に、前記二つの座標点のうちの他方の座標点の赤の階調データに対応した電圧値のデータ信号を印加し、
第一の緑色画素に、前記一方の座標点の緑の階調データに対応した電圧値のデータ信号を印加し、
第二の緑色画素に、前記他方の座標点の緑の階調データに対応した電圧値のデータ信号を印加し、
前記青色画素に、前記一方の座標点の青の階調データと前記他方の座標点の青の階調データとから所定の条件により求めた前記補正階調データに対応した電圧値のデータ信号を印加することを特徴とする請求項５に記載の表示装置。
【請求項７】
前記表示素子は液晶表示素子であり、
前記駆動手段は、前記青色画素に、前記一方の座標点の青の階調データに対応した透過率と、前記他方の座標点の青の階調データに対応した透過率との平均透過率が得られる電圧値のデータ信号を印加することを特徴とする請求項６に記載の表示装置。
【請求項８】
前記駆動手段は、前記青色画素の前記一方の座標点の青の階調データに対応した透過率と、前記青色画素の前記他方の座標点の青の階調データに対応した透過率とを平均した平均透過率から前記補正階調データを求め、その補正階調データに対応した電圧値のデータ信号を前記青色画素に印加することを特徴とする請求項７に記載の表示装置。
【請求項９】
前記液晶表示素子の背後に、白色光に対して赤と緑の波長域の光強度を低くした分光分布の光を前記液晶表示素子に向けて照射するバックライトが配置されていることを特徴とする請求項８に記載の表示装置。
【請求項１０】
前記表示素子はノーマリーブラックモードの液晶表示素子であり、
前記液晶表示素子の背後に、白色光を前記液晶表示素子に向けて照射するバックライトが配置され、
前記駆動手段は、前記青色画素に、前記一方の座標点の青の階調データに対応した電圧値のデータ信号を印加したときの透過率と、前記他方の座標点の青の階調データに対応した電圧値のデータ信号を印加したときの透過率との平均透過率に対応した電圧を所定の比率で高くした電圧値のデータ信号を印加することを特徴とする請求項６に記載の表示装置。
【請求項１１】
前記表示素子は有機ＥＬ表示素子またはプラズマ表示素子であり、
前記駆動手段は、前記青色画素に、前記一方の座標点の青の階調データに対応した電圧値のデータ信号を印加したときの輝度と、前記他方の座標点の青の階調データに対応した電圧値のデータ信号を印加したときの輝度との平均輝度に対応した電圧を所定の比率で高くした電圧値のデータ信号を印加することを特徴とする請求項６に記載の表示装置。
【発明の詳細な説明】
【技術分野】
【０００１】
この発明は、カラー画像を表示する表示装置に関する。
【背景技術】
【０００２】
カラー画像を表示する表示装置としては、特許文献１に記載されているようなものがある。
【先行技術文献】
【特許文献】
【０００３】
【特許文献１】特開２００８−２０９７８０号公報
【発明の概要】
【発明が解決しようとする課題】
【０００４】
ところで、カラー画像を表示する液晶表示装置は、高精細な画像を表示するものほど、赤、緑、青の各色の画素の面積が小さくなり、開口率が低くなる。
【０００５】
この発明は、開口率を高くすることができる表示装置を提供することを目的としている。
【課題を解決するための手段】
【０００６】
請求項１に記載の発明は、カラー画像を表示する表示装置であって、
赤、緑、青の三色の画素が複数行及び複数列に配列され、且つ行毎に、前記三色の画素が、二つの赤色画素と二つの緑色画素と一つの青色画素とが同色の画素同士が隣り合わないように所定の順で並んだ配列順の繰り返しで配置されていることを特徴とする。
【０００７】
請求項２に記載の発明は、前記請求項１に記載の表示装置において、前記二つの赤色画素と二つの緑色画素と一つの青色画素は、緑色画素、青色画素、赤色画素、緑色画素、赤色画素の順で並んでいることを特徴とする。
【０００８】
請求項３に記載の発明は、前記請求項１に記載の表示装置において、前記二つの赤色画素と二つの緑色画素と一つの青色画素は、赤色画素、青色画素、緑色画素、赤色画素、緑色画素の順で並んでいることを特徴とする。
【０００９】
請求項４に記載の発明は、前記請求項１〜３の何れかに記載の表示装置において、前記三色の画素は、同じ形状及び面積を有しており、前記行方向に一定のピッチで配置されていることを特徴とする。
【００１０】
請求項５に記載の発明は、カラー画像を表示する表示装置であって、
赤、緑、青の三色の画素が複数行及び複数列に配列され、且つ行毎に、前記三色の画素が、二つの赤色画素と二つの緑色画素と一つの青色画素とが同色の画素同士が隣り合わないように所定の順で並んだ配列順の繰り返しで配置された表示素子と、
前記各赤色画素に、赤の階調データに対応した電圧値のデータ信号を印加し、前記各緑色画素に、緑の階調データに対応した電圧値のデータ信号を印加し、前記各青色画素に、青の階調データを所定の条件で補正した補正階調データに対応した電圧値のデータ信号を印加する駆動手段と、
を備え、
前記所定の順で並んだ二つの赤色画素と二つの緑色画素と一つの青色画素により二座標分のカラードットを表現することを特徴とする。
【００１１】
請求項６に記載の発明は、前記請求項５に記載の表示装置において、前記駆動手段は、
表示するカラー画像の走査線方向の各座標点の色情報それぞれが赤、緑、青の三色の階調データを含む画像データを供給され、
前記所定の順で並んだ二つの赤色画素と二つの緑色画素と一つの青色画素のうち、
第一の赤色画素に、前記走査線方向の隣り合う二つの座標点のうちの一方の座標点の赤の階調データに対応した電圧値のデータ信号を印加し、
第二の赤色画素に、前記二つの座標点のうちの他方の座標点の赤の階調データに対応した電圧値のデータ信号を印加し、
第一の緑色画素に、前記一方の座標点の緑の階調データに対応した電圧値のデータ信号を印加し、
第二の緑色画素に、前記他方の座標点の緑の階調データに対応した電圧値のデータ信号を印加し、
前記青色画素に、前記一方の座標点の青の階調データと前記他方の座標点の青の階調データとから所定の条件により求めた前記補正階調データに対応した電圧値のデータ信号を印加することを特徴とする。
【００１２】
請求項７に記載の発明は、前記請求項６に記載の表示装置において、
前記表示素子は液晶表示素子であり、
前記駆動手段は、前記青色画素に、前記一方の座標点の青の階調データに対応した透過率と、前記他方の座標点の青の階調データに対応した透過率との平均透過率が得られる電圧値のデータ信号を印加することを特徴とする。
【００１３】
請求項８に記載の発明は、前記請求項７に記載の表示装置において、前記駆動手段は、前記青色画素の前記一方の座標点の青の階調データに対応した透過率と、前記青色画素の前記他方の座標点の青の階調データに対応した透過率とを平均した平均透過率から前記補正階調データを求め、その補正階調データに対応した電圧値のデータ信号を前記青色画素に印加することを特徴とする。
【００１４】
請求項９に記載の発明は、前記請求項８に記載の表示装置において、前記液晶表示素子の背後に、白色光に対して赤と緑の波長域の光強度を低くした分光分布の光を前記液晶表示素子に向けて照射するバックライトが配置されていることを特徴とする。
【００１５】
請求項１０に記載の発明は、前記請求項６に記載の表示装置において、
前記表示素子はノーマリーブラックモードの液晶表示素子であり、
前記液晶表示素子の背後に、白色光を前記液晶表示素子に向けて照射するバックライトが配置され、
前記駆動手段は、前記青色画素に、前記一方の座標点の青の階調データに対応した電圧値のデータ信号を印加したときの透過率と、前記他方の座標点の青の階調データに対応した電圧値のデータ信号を印加したときの透過率との平均透過率に対応した電圧を所定の比率で高くした電圧値のデータ信号を印加することを特徴とする。
【００１６】
請求項１１に記載の発明は、前記請求項７に記載の表示装置において、
前記表示素子は有機ＥＬ表示素子またはプラズマ表示素子であり、
前記駆動手段は、前記青色画素に、前記一方の座標点の青の階調データに対応した電圧値のデータ信号を印加したときの輝度と、前記他方の座標点の青の階調データに対応した電圧値のデータ信号を印加したときの輝度との平均輝度に対応した電圧を所定の比率で高くした電圧値のデータ信号を印加することを特徴とする。
【発明の効果】
【００１７】
この発明によれば、行方向に配列する画素数が、赤、緑、青の三色の画素を交互に並べて配列した表示装置の５／６であり、従って、各画素の面積を大きくし、開口率を高くすることができる。
【図面の簡単な説明】
【００１８】
【図１】この発明の第一実施例を示す表示装置の構成図。
【図２】第一実施例における液晶表示素子とバックライトの斜視図。
【図３】前記液晶表示素子の第一基板の一部分の平面図。
【図４】前記液晶表示素子の図３のIV−IV矢視線に沿う断面図。
【図５】前記液晶表示素子の画素配列図。
【図６】前記液晶表示素子を駆動するデータ信号線駆動回路の構成図。
【図７】前記液晶表示素子の電圧−透過率特性図。
【図８】前記液晶表示素子の青色画素の各階調に対応した透過率を示す図。
【図９】前記バックライトからの照射光の分光分布図。
【図１０】前記表示装置における白表示の色度を示すＣＩＥ色度図。
【図１１】第一実施例の液晶表示素子と通常の液晶表示素子の画素幅の対比図。
【図１２】第一実施例の液晶表示素子と通常の液晶表示素子の一つの画素の開口面積の対比図。
【図１３】この発明の第二実施例を示す液晶表示素子の画素配列図。
【図１４】この発明の第三実施例を示す液晶表示素子の画素配列図。
【図１５】この発明の第四実施例を示す液晶表示素子の画素配列図。
【図１６】この発明の第五実施例を示す液晶表示素子の画素配列図。
【発明を実施するための形態】
【００１９】
［第一実施例］
この発明の第一実施例の表示装置は、図１のように、表示素子１と、その駆動手段２８とを備えている。
【００２０】
この実施例において、表示素子１は、図２〜図５に示した構成の液晶表示素子であり、画面エリア１ａに、赤色フィルタ１９Ｒを備えた赤色画素Ｒと、緑色フィルタ１９Ｇを備えた緑色画素Ｇと、青色フィルタ１９Ｂを備えた青色画素Ｂとの三色の画素が、複数行及び複数列に配列されている。
【００２１】
この液晶表示素子１は、ＴＦＴ（薄膜トランジスタ）をスイッチング素子としたアクティブマトリックス液晶表示素子であり各画素Ｒ，Ｇ，Ｂ毎に、ＴＦＴ７に接続された透明な画素電極６が設けられている。
【００２２】
前記画素電極６とＴＦＴ７は、液晶層５を挟んで対向する透明な第一基板２と第二基板３のうちの表示面側とは反対側の第一基板２に、行方向及び列方向に配列させて設けられており、第二基板３には、各画素電極６と対向する一枚膜状の透明な共通電極２０が設けられている。
【００２３】
なお、各画素電極６は、同じ形状、例えば、縦幅（列方向の幅）が横幅（行方向の幅）よりも大きい縦長の矩形形状に形成されており、行方向に一定のピッチで配置されると共に、列方向にも一定のピッチで配置されている。
【００２４】
ＴＦＴ７は、図３のように、第一基板３上に形成されたゲート電極８と、前記第一基板３上の全域にゲート電極８を覆って形成された透明なゲート絶縁膜９と、このゲート絶縁膜９の上にゲート電極８と対向させて形成された真正アモルファスシリコンからなる半導体薄膜１０と、この半導体薄膜１０のチャネル領域を挟んで、その一方の側と他方の側との上にそれぞれｎ型アモルファスシリコンからなるコンタクト層（図示せず）を介して形成されたソース電極１１及びドレイン電極１２とからなっている。
【００２５】
また、第一基板２には、各画素電極６の行毎に行方向に延伸させて配線された複数の走査信号線１３と、各画素電極６の列毎に列方向に延伸させて配線された複数のデータ信号線１４とが設けられている。
【００２６】
走査信号線１３は、第一基板２上に、ＴＦＴ７のゲート電極８と一体に形成されている。また、データ信号線１４は、ゲート絶縁膜９の上に、ＴＦＴ７のソース電極１１と一体に形成されている。
【００２７】
そして、画素電極６は、ゲート絶縁膜９の上に形成され、その一つの角部においてＴＦＴ７のドレイン電極１１に接続されている。
【００２８】
さらに、第一基板２には、各画素Ｒ，Ｇ，Ｂ毎に、画素電極６の辺部とゲート絶縁膜９を介して対向し、画素電極６との間にゲート絶縁膜９を誘電層とする補償容量を形成する容量電極１５が設けられている。
【００２９】
この容量電極１５は、画素電極７の全周の辺部に、ＴＦＴ７が接続された部分を除いて重なるような枠形状に形成されている。そして、各容量電極１５は、行毎に、画素電極７のＴＦＴ７が接続された側とは反対側の辺（行方向に沿った辺）の端部同士を連続させて形成することにより共通接続されている。
【００３０】
また、第一基板２には、各ＴＦＴ７及び各データ信号線１４を覆ってオーバーコート絶縁膜１６が形成され、その上に第一配向膜１７が形成されている。なお、図３ではオーバーコート絶縁膜１６と第一配向膜１７を省略している。
【００３１】
一方、第二基板３には、各行及び各列の隣り合う画素Ｒ，Ｇ，Ｂの境界部に、ＴＦＴ７と走査信号線１３及びデータ信号線１４と容量電極１５を覆い隠すように形成された遮光膜１８が設けられている。さらに、第二基板３には、赤色フィルタ１９Ｒと緑色フィルタ１９Ｇと青色フィルタ１９Ｂとを後述するように配列させて形成したカラーフィルタが設けられており、このカラーフィルタの上に共通電極７が形成され、その上に第二配向膜２１が形成されている。
【００３２】
前記第一基板２と第二基板３は、第一基板２の画素電極６及び第一配向膜１７が形成された面と、第二基板３の共通電極２０及び第二配向膜２１が形成された面とを、所定の間隙をおいて対向させて配置され、画面エリア１ａを囲む枠状のシール材４を介して貼り合わされている。そして、これらの２，３間の間隙のシール材４で囲まれた領域に液晶が充填されて液晶層５が形成されている。
【００３３】
また、第一基板２の外面には、第一偏光板２２が、その吸収軸を所定の方向に向けて配置され、第二基板３の外面には、第二偏光板２３が、その吸収軸を所定の方向に向けて配置されている。
【００３４】
この液晶表示素子１は、例えばＴＮ型のものであり、第一配向膜１７と第二配向膜２１は、ポリイミド膜等の水平配向膜からなり、互いに直交する方向にラビング処理されている。また、液晶層５は、誘電異方性が正のネマティック液晶により形成されており、この液晶層５の液晶分子は、第一基板２から第二基板３に向かって９０度の捩れ角でツイスト配向している。
【００３５】
そして、第一偏光板２２と第二偏光板２３は、画素電極Ｒ，Ｇ，Ｂと共通電極２０との間との間への印加電圧が０Ｖのときの表示が最も明るいノーマリーホワイトモードの液晶表示素子を構成するように、第一偏光板２２の吸収軸を第一配向膜１７のラビング方向と直交させるか或いは平行にし、第二偏光板２３の吸収軸を第一偏光板２２の吸収軸と直交させて配置されている。
【００３６】
この液晶表示素子１において、前記赤色フィルタ１９Ｒと緑色フィルタ１９Ｇと青色フィルタ１９Ｂは、赤色画素Ｒと緑色画素Ｇと青色画素Ｂとを図５のような配列で形成するように配置されている。
【００３７】
すなわち、赤色フィルタ１９Ｒが設けられた赤色画素Ｒと、緑色フィルタ１９Ｇが設けられた緑色画素Ｇと、青色フィルタ１９Ｂが設けられた青色画素Ｂは、行毎に、二つの赤色画素Ｒ，Ｒと二つの緑色画素Ｇ，Ｇと一つの青色画素Ｂとが同色の画素同士が隣り合わないように所定の順で並んだ配列順の繰り返しで配置されている。
【００３８】
なお、図５に示した画素配列パターンでは、二つの赤色画素Ｒ，Ｒと二つの緑色画素Ｇ，Ｇと一つの青色画素Ｂとを、行方向の左端方向から右端方向に向かって、緑色画素Ｇ、青色画素Ｂ、赤色画素Ｒ、緑色画素Ｇ、赤色画素Ｒの順で並ぶように配置している。
【００３９】
さらに、赤色画素Ｒと緑色画素Ｇと青色画素Ｂは、同じ形状及び面積を有しており、行方向に一定のピッチで配置されている。なお、この実施例では、赤、緑、青の各色の画素Ｒ，Ｇ，Ｂを、列方向に沿った縦幅が行方向に沿った横幅よりも大きい縦長の矩形形状に形成している。
【００４０】
また、第一基板２には、図１のように、例えば画面エリア１ａの上下方向（列方向）の一端側に、第二基板３の外方に張出すドライバ搭載部２ａが形成されており、このドライバ搭載部２ａに、複数の入力端子と複数の走査信号出力端子及び複数のデータ信号出力端子（図示せず）が形成されたＬＳＩからなるドライバ素子２４が搭載されている。
【００４１】
そして、各走査信号線１３は、画面エリア１ａの外側を引き回してドライバ素子２４の各走査信号出力端子にそれぞれ接続され、各データ信号線１４は、ドライバ素子２４の各データ信号出力端子にそれぞれ接続されている。
【００４２】
なお、図１では省略しているが、前記ドライバ搭載部２ａには、共通電圧入力端子が形成されており、共通電極２０は、枠状のシール材４による基板接合部に設けられたクロス接続部（図示せず）を介して、共通電圧入力端子に接続されている。
【００４３】
また、行毎に共通接続された全ての行の容量電極１５は、画面エリア１ａの外側に配線された図示しない共通電圧供給線に接続され、この共通電圧供給線を介して、前記共通電極２０と共に前記共通電圧入力端子に接続されている。
【００４４】
前記液晶表示素子１は、各画素Ｒ，Ｇ，Ｂの行（以下、画素行という）を一行ずつ順次選択し、各画素行毎に、その行の各画素Ｒ，Ｇ，Ｂの画素電極６と共通電極２０との間に電圧を印加することにより駆動され、前記電圧の印加による液晶分子の配向状態の変化により、各画素Ｒ，Ｇ，Ｂの光の透過率を制御して画像を表示する。
【００４５】
また、前記液晶表示素子１の背後（表示面側とは反対側）には、図１のように、液晶表示素子１の画面エリア１ａの全域に向けて均一な照度の光を照射するバックライト２５が配置されている。
【００４６】
このバックライト２５は、液晶表示素子１の平面形状に対応した形状の透明板からなり、一端面に光を入射させる入射端面２６ａが形成され、二つの板面の一方に、入射端面２６ａから入射した光の出射面２６ｂが形成されると共に、他方の板面に、入射端面２６ａから入射した光を前記出射面２６ｂに向けて反射する反射面２６ｃが形成された導光板２６と、この導光板２６の入射端面２６ａに対向させて配置された複数の発光素子２７とにより構成されている。
【００４７】
このバックライト２５は、複数の発光素子２７が発する光を導光板２６にその入射端面２６ａから入射させ、その光を導光板２６の出射面２６ｂの全域から出射するものであり、前記出射面２６ｂを液晶表示素子１に対向させて配置されている。
【００４８】
このバックライト２５の複数の発光素子２７は、その構造は図示しないが、赤、緑、青の三色のＬＥＤ（発光ダイオード）を備えており、この三色のＬＥＤを点灯させることにより、赤、緑、青の光の加法混色光を導光板２６の入射端面２６ａに向けて出射する。
【００４９】
この表示装置は、駆動手段２８により、液晶表示素子１の各赤色画素Ｒに、赤の階調データに対応した電圧値のデータ信号を印加し、各緑色画素Ｇに、緑の階調データに対応した電圧値のデータ信号を印加し、各青色画素Ｂに、青の階調データを所定の条件で補正した補正階調データに対応した電圧値のデータ信号を印加することにより、所定の順で並んだ二つの赤色画素Ｒ，Ｒと二つの緑色画素Ｇ，Ｇと一つの青色画素Ｂにより二座標分のカラードット（図５参照）を表現する。図５において、破線ハッチングを施した領域は、二座標分のカラードット表現領域である。
【００５０】
駆動手段２８は、図１のように、外部から供給される画像データを一時的に記憶する画像メモリ２９と、液晶表示素子１の各走査信号線１３に走査信号を印加する走査信号線駆動回路３０と、液晶表示素子１の各データ信号線１４にデータ信号を印加するデータ信号線駆動回路３１と、前記走査信号線駆動回路３０及びデータ信号線駆動回路３１を制御する制御部３３とを備えている。なお、走査信号線駆動回路３０とデータ信号線駆動回路３１は、液晶表示素子１のドライバ搭載部２ａに搭載されたドライバ素子２４に形成されている。
【００５１】
駆動手段２８に供給される画像データは、赤色画素と緑色画素と青色画素が行方向に交互に並ベて配置され、互いに隣り合う赤、緑、青の各色の三つの画素により、一座標分のカラードットを表現する表示装置に供給される画像データと同じデータであり、表示するカラー画像の走査線方向の各座標点の色情報それぞれが赤、緑、青の三色の階調データを含んでいる。
【００５２】
制御部３３は、画像メモリ２９に一時的に記憶された画像データを一走査線分ずつ取り込み、その画像データから垂直同期信号を分離して走査信号線駆動回路３０とデータ信号線駆動回路３１とに供給する。
【００５３】
また、制御部３３は、画像メモリ２９から取り込んだ一走査線分の画像データの各座標点の赤、緑、青の三色の階調データのうち、青の階調データを、走査線方向の隣り合う二つの座標点毎に、一方の座標点の青の階調データと他方の座標点の青の階調データとから所定の条件により求めた補正階調データに変換し、各座標点の赤及び緑の階調データと、前記二つの座標点毎の青の補正階調データとを水平同期信号及び規準クロック信号と共にデータ信号線駆動回路３１に供給する。
【００５４】
すなわち、制御部３３は、図１のように、走査線方向の隣り合う二つの座標点の三色の階調データのうち、一方の座標点の赤の階調データＤ１Ｒ及び緑の階調データＤ１Ｇと、他方の座標点の赤の階調データＤ２Ｒ及び緑の階調データＤ２Ｇを、そのままデータ信号線駆動回路３１に供給し、前記一方の座標点の青の階調データと他方の座標点の青の階調データを、その両方の階調データから所定の条件により求めた一つの補正階調データＤＢに変換してデータ信号線駆動回路３１に供給する。これは、画像データの他の各座標点の三色の階調データについても同じである。
【００５５】
なお、液晶表示素子１の各行の画素配列が、図５のような配列である場合、一つ目（図５の左端）の二座標分のカラードット表現領域Ａの青色画素Ｂに対する青の補正階調データＤＢは、走査線方向の左端方向から見て一番目の座標点の青の階調データと、二番目の座標点の青の階調データとから求める。また、二つ目の二座標分のカラードット表現領域の青色画素Ｂに対する青の補正階調データＤＢは、三番目の座標点の青の階調データと、四番目の座標点の青の階調データとから求める。また、三つ目の二座標分のカラードット表現領域の青色画素Ｂに対する青の補正階調データＤＢは、五番目の座標点の青の階調データと、六番目の座標点の青の階調データとから求める。このように各カラードット表現領域Ａの青色画素Ｂに対する青の補正階調データＤＢは、隣り合う二つの座標点それぞれの青の階調データから求める。
【００５６】
この青の補正階調データＤＢは、青色画素Ｂの透過率が、前記一方の座標点の青の階調データに対応した透過率と、他方の座標点の青の階調データに対応した透過率とを平均した値になるような条件で求める。
【００５７】
すなわち、青の補正階調データＤＢは、青色画素Ｂの前記一方の座標点の青の階調データに対応した透過率と他方の座標点の青の階調データに対応した透過率とを平均した平均透過率が得られる印加電圧値から階調値を逆算することにより求める。
【００５８】
ここで、青色画素Ｂの前記一方の座標点の青の階調データに対応した透過率をＴ１、前記青色画素Ｂの前記他方の座標点の青の階調データに対応した電圧値のデータ信号を印加したときの透過率をＴ２、その両方の透過率Ｔ１，Ｔ２を平均した平均透過率をＴとすると、平均透過率Ｔは、次の（１）式により表わされる。
【００５９】
Ｔ＝（Ｔ１＋Ｔ２）／２    …（１）
また、前記液晶表示素子１はノーマリーホワイトモードのものであり、図７のような電圧−透過率特性をもっている。
【００６０】
そこで、
前記一方の座標点の青の階調データの階調値をＤ１
他方の座標点の青の階調データの階調値をＤ２
青の最大階調値をＤｆ
とすると、
青色画素Ｂの透過率が前記平均透過率Ｔ＝（Ｔ１＋Ｔ２）／２になる階調値Ｄは、γ系数が２．２の場合、次の（２）式により求めることができる。
【００６１】
Ｄ＝Ｄｆ［{（Ｄ１／Ｄｆ）２．２＋（Ｄ２／Ｄｆ）２．２}／２］（１／２．２）    …（２）
なお、前記最大階調値Ｄｆは、最も高い透過率に対応した階調値であり、例えば階調値を０〜２５５の範囲で制御する２５６階調の表示を行なう場合の最大階調値Ｄｆは２５５である。
【００６２】
但し、上記（１）式により求められる平均透過率Ｔは、（２）式で表される階調値Ｄとは必ずしも対応しない。そのため、この実施例では、青色画素Ｂの透過率を、最小階調に対する透過率を０．０、最大階調値Ｄｆに対する透過率を１．０として階調毎に規格化し、青色画素Ｂの階調−透過率特性に基づいて、前記平均透過率Ｔを規格化した透過率に対応した階調値を、前記補正階調データＤＢとして制御部３３からデータ信号線駆動回路３１に供給するようにしている。
【００６３】
図８は青色画素Ｂの２５６階調の表示を行なう場合の青色画素Ｂの各階調に対応した透過率を示している。図８のように、青色画素Ｂの各階調に対する透過率（規格化値）は、最小階調０で透過率０．０、最大階調２５５で透過率１．００００であり、その間の各階調では、例えば階調１００で透過率０．１２７５３、階調２００で透過率０．５８５９７である。
【００６４】
そして、走査信号線駆動回路３０は、制御部３３からのクロック信号に基づいて、各走査信号線１３に、各行のＴＦＴ７を行毎にずれた周期でオン／オフさせる走査信号を印加する。この走査信号は、該走査信号を印加する走査信号線７の選択期間にＴＦＴ７をオンさせる電位になり、選択期間以外はＴＦＴ７をオフさせる電圧になるパルス波形の信号である。
【００６５】
また、データ信号線駆動回路３１は、制御部３３から供給された赤の階調データＤ１Ｒ，Ｄ２Ｒ及び緑の階調データＤ１Ｇ，Ｄ２Ｇと、前記条件により求めた一つの青の補正階調データＤＢとを、一走査線分ずつ、つまり一画素行分ずつ一時的に格納し、制御部３３からのクロック信号に基づいて、各走査信号線１３の選択期間毎に、格納した一画素行分の階調データＤ１Ｒ，Ｄ１Ｇ，Ｄ２Ｒ，Ｄ２Ｇ，ＤＢを各データ信号線１４に印加する。
【００６６】
図６はデータ信号線駆動回路３１の構成図であり、このデータ信号線駆動回路３１は、サンプリングメモリ１３１、データラッチ部１３２、Ｄ／Ａ変換回路１３３、及び表示信号電圧生成回路１３４からなっている。
【００６７】
サンプリングメモリ１３１は、制御部３３からの水平同期信号Ｈｓ及び規準クロック信号ＣＬＫに同期して、制御部３３から供給された一画素行分（一走査線分）の画像データＤａｔａ、つまり、カラードット表現領域Ａ毎の二つの赤の階調データＤ１Ｒ，Ｄ２Ｒ及び緑の階調データＤ１Ｇ，Ｄ２Ｇと、一つの青の補正階調データＤＢを取り込み、これらの階調データを、液晶表示素子１の一画素行の画素Ｒ，Ｇ，Ｂの並び順に対応させて各データ格納領域Ｍ１〜Ｍｎに格納する。
【００６８】
すなわち、液晶表示素子１の一画素行の各カラードット表現領域のうち、図５において左側のカラードット表現領域Ａに対する階調データＤ１Ｒ，Ｄ１Ｇ，ＤＢ，Ｄ２Ｒ，Ｄ２Ｇは、第１〜第５データ格納領域Ｍ１，Ｍ２，Ｍ３，Ｍ４，Ｍ５に、緑の階調データＤ１Ｇ、青の補正階調データＤＢ、赤の階調データＤ１Ｒ、緑の階調データＤ２Ｇ、赤の階調データＤ２Ｒの順で格納される。
【００６９】
同等に、左から二つ目のカラードット表現領域に対する階調データＤ１Ｒ，Ｄ１Ｇ，ＤＢ，Ｄ２Ｒ，Ｄ２Ｇは、第６〜第１０データ格納領域Ｍ６，Ｍ７，Ｍ８，Ｍ９，Ｍ１０（第９及び第１０データ格納領域Ｍ９，Ｍ１０は図示せず）に、緑の階調データＤ１Ｇ、青の補正階調データＤＢ、赤の階調データＤ１Ｒ、緑の階調データＤ２Ｇ、赤の階調データＤ２Ｒの順で格納される。
【００７０】
以下はその繰り返しであり、最も右端のカラードット表現領域に対する階調データＤ１Ｒ，Ｄ１Ｇ，ＤＢ，Ｄ２Ｒ，Ｄ２Ｇは、第ｎ−４〜第ｎデータ格納領域Ｍｎ−４，Ｍｎ−３，Ｍｎ−２，Ｍｎ−１，Ｍｎ（第ｎ−４〜第ｎ−２データ格納領域Ｍｎ−４〜Ｍｎ−２は図示せず）に、緑の階調データＤ１Ｇ、青の補正階調データＤＢ、赤の階調データＤ１Ｒ、緑の階調データＤ２Ｇ、赤の階調データＤ２Ｒの順で保持される。
【００７１】
そして、サンプリングメモリ１３１は、各データ格納領域Ｍ１〜Ｍｎに格納された一画素行分の階調データＤ１Ｇ，ＤＢ，Ｄ１Ｒ，Ｄ２Ｇ，Ｄ２Ｒを、制御部３３からの水平同期信号Ｈｓに基づいて後段のデータラッチ部１３２に転送し、次の一画素行分の画像データＤａｔａ（各カラードット表現領域Ａ毎の二つの赤の階調データＤ１Ｒ，Ｄ２Ｒ及び緑の階調データＤ１Ｇ，Ｄ２Ｇと、一つの青の補正階調データＤＢ）を取り込んで各データ格納領域Ｍ１〜Ｍｎに格納する。
【００７２】
データラッチ部１３２は、サンプリングメモリ１３１から転送された一画素行分の階調データＤ１Ｇ，ＤＢ，Ｄ１Ｒ，Ｄ２Ｇ，Ｄ２Ｒを一斉に取得し、取得した階調データＤ１Ｇ，ＤＢ，Ｄ１Ｒ，Ｄ２Ｇ，Ｄ２Ｒを後段のＤ／Ａ変換回路１３３に出力する。
【００７３】
Ｄ／Ａ変換回路１３３は、複数のＤＡＣ部１３５及び出力アンプ回路１３６により構成されており、ＤＡＣ部１３５により、データラッチ部１３２からの各階調データＤ１Ｇ，ＤＢ，Ｄ１Ｒ，Ｄ２Ｇ，Ｄ２Ｒをアナログ電圧に変換し、その電圧を出力アンプ回路１３６により増幅したデータ信号を液晶表示素子１の各データ信号線１４に印加する。
【００７４】
なお、各階調データＤ１Ｇ，ＤＢ，Ｄ１Ｒ，Ｄ２Ｇ，Ｄ２Ｒは、例えば８ビットのデジタルデータであり、ＤＡＣ部１３５は、表示信号電圧生成回路１３４において生成された各階調毎の表示信号電圧から各階調データＤ１Ｇ，ＤＢ，Ｄ１Ｒ，Ｄ２Ｇ，Ｄ２Ｒに対応した電圧を選択し、その電圧を出力アンプ回路１３６に出力する。
【００７５】
そして、出力アンプ回路１３６から出力された各データ信号は、選択された画素行の各画素電極６にＴＦＴ７のオンによって供給され、その行の各画素Ｒ，Ｇ，Ｂに、共通電極２０と画素電極６との電位差に対応した電圧が印加される。
【００７６】
すなわち、前記駆動手段２８は、液晶表示素子１の各画素行の所定の順で並んだ二つの赤色画素Ｒ，Ｒと二つの緑色画素Ｇ，Ｇと一つの青色画素Ｂのうち、第一の赤色画素（図５においてカラードット表現領域Ａの左端の画素）Ｒに、前記走査線方向の隣り合う二つの座標点のうちの一方の座標点の赤の階調データに対応した電圧値のデータ信号を印加し、第二の赤色画素（図５においてカラードット表現領域Ａの左端から四つ目の画素）Ｒに、前記二つの座標点のうちの他方の座標点の赤の階調データに対応した電圧値のデータ信号を印加し、第一の緑色画素（図５においてカラードット表現領域Ａの左端から三つ目の画素）Ｇに、前記一方の座標点の緑の階調データに対応した電圧値のデータ信号を印加し、第二の緑色画素（図５においてカラードット表現領域Ａの右端の画素）Ｂに、前記他方の座標点の赤の階調データに対応した電圧値のデータ信号を印加し、青色画素Ｂに、前記一方の座標点の青の階調データと前記他方の座標点の青の階調データとから所定の条件により求めた前記補正階調データに対応した電圧値のデータ信号を印加する。
【００７７】
この実施例の表示装置は、行毎に、二つの赤色画素Ｒ，Ｒと二つの緑色画素Ｇ，Ｇと一つの青色画素Ｂとが同色の画素同士が隣り合わないように所定の順で並んだ配列順の繰り返しで配置された液晶表示素子１を備え、この液晶表示素子１を前記駆動手段２８によって駆動することにより、所定の順で並んだ二つの赤色画素Ｒ，Ｒと二つの緑色画素Ｇ，Ｇと一つの青色画素Ｂにより二座標分のカラードットを表現し、これらのカラードットによりカラー画像を表示するようにしたものである。
【００７８】
この実施例の表示装置は、液晶表示素子１のカラードット表現領域Ａの二つの赤色画素Ｒ，Ｒと二つの緑色画素Ｇ，Ｇと一つの青色画素Ｂの配置が、同色の画素同士が隣り合わないような配置であるため、赤、緑、青の輝点がバランス良く分布した色混ざりの良いカラードットを表現し、高品位のカラー画像を表示することができる。
【００７９】
なお、前記液晶表示素子１の各カラードット表現領域Ａの画素数は、二つの赤色画素Ｒ，Ｒと二つの緑色画素Ｇ，Ｇと一つの青色画素Ｂとの計五画素である。そして、赤、緑、青の各色の画素Ｒ，Ｇ，Ｂは同じ形状及び面積を有しており、行方向に一定のピッチで配置されているため、一つのカラードット表現領域Ａにおける青色画素Ｂの面積は、二つの赤色画素Ｒ，Ｒの総面積及び二つの緑色画素Ｇ，Ｇの総面積の１／２である。
【００８０】
そのため、青色画素Ｂに、画像データの走査線方向の隣り合う二つの座標点のうちの何れか一方の座標点の青の階調データをそのまま印加したのでは、赤色画素Ｒにより表示される赤の輝点と緑色画素Ｇ，Ｂにより表示される緑の輝点に対して、青色画素Ｂにより表示される青の輝点の輝度が弱くなり、黄色味を帯びたカラードットが表示される。
【００８１】
しかし、この表示装置では、前記液晶表示素子１の青色画素Ｂに、青の階調データを所定の条件で補正した補正階調データに対応した電圧値のデータ信号を印加するようにしているため、青の輝点の輝度の弱さを補うことができる。
【００８２】
上記実施例では、カラードット表現領域Ａの第一の赤色画素Ｒに、前記走査線方向の隣り合う二つの座標点のうちの一方の座標点の赤の階調データに対応した電圧値のデータ信号を印加し、第二の赤色画素Ｒに、前記二つの座標点のうちの他方の座標点の赤の階調データに対応した電圧値のデータ信号を印加し、第一の緑色画素Ｇに、前記一方の座標点の緑の階調データに対応した電圧値のデータ信号を印加し、第二の緑色画素Ｂに、前記他方の座標点の赤の階調データに対応した電圧値のデータ信号を印加し、青色画素Ｂに、前記一方の座標点の青の階調データと前記他方の座標点の青の階調データとから所定の条件により求めた前記補正階調データに対応した電圧値のデータ信号を印加するようにしているため、青の輝点の輝度の弱さを補うことができる。
【００８３】
さらに、上記実施例では、青色画素Ｂに、前記一方の座標点の青の階調データに対応した透過率と、前記他方の座標点の青の階調データに対応した透過率との平均透過率が得られる電圧値のデータ信号を印加するようにしているため、前記平均透過率に対応した輝度の青の輝点を表示することができる。
【００８４】
前記青の補正階調データＤＢは、上述したように、青色画素Ｂの前記一方の座標点の青の階調データに対応した透過率と他方の座標点の青の階調データに対応した透過率とを平均した平均透過率から求めるのが望ましく、この補正階調データＤＢに対応した電圧値のデータ信号を青色画素Ｂに印加することにより、前記平均透過率に対応した強さの青の表示を得ることができる。
【００８５】
なお、前記液晶表示素子１は、各画素行の青色画素Ｂの数が、赤色画素Ｒの数及び緑色画素Ｇの数の１／２であるため、表示されるカラー画像は、青色画素Ｂにより表示される青色情報の数が、赤色画素Ｒ及び緑色画素Ｇにより表示される赤色情報及び緑色情報の数に比べて１／２に減少した画像である。しかし、人間の眼は、短波長の光に対する相対的分解能が低いため、青色画素Ｂの数が少なくても、カラー画像の分解能の低下は目立たない。
【００８６】
但し、前記液晶表示素子１は、青色画素Ｂの数が赤色画素Ｒの数及び緑色画素Ｇの数よりも少ないため、液晶表示素子１の背後から照射される光が白色光であると、青色画素Ｂに上記のような補正階調データＤＢを印加しても、ある程度黄色味を帯びたカラードットが表示される。
【００８７】
そのため、この実施例では、液晶表示素子１の背後に、白色光に対して赤と緑の波長域の光強度を低くした分光分布の光を液晶表示素子１に向けて照射するバックライト２５を配置している。
【００８８】
このバックライト２５は、図２に示したように、導光板２６と、この導光板２６の入射端面２６ａに対向させて配置された複数の発光素子２７からなっており、発光素子２７は、上述したように赤、緑、青の三色のＬＥＤを備え、赤、緑、青の光の加法混色光を出射する。
【００８９】
そのため、このバックライト２５は、発光素子２７の赤、緑、青の三色のＬＥＤそれぞれの駆動電圧を制御することにより、赤色ＬＥＤが発する赤色光と、緑色ＬＥＤが発する緑色光と、青色ＬＥＤが発する青色光の強度比を変化させ、任意の分光分布の光を液晶表示素子１に向けて照射することができる。
【００９０】
この実施例では、発光素子２７の三色のＬＥＤのうち、赤色ＬＥＤと緑色ＬＥＤを、白色光を出射させるときの駆動電圧よりも低い電圧で駆動し、青色ＬＥＤを白色光を出射させるときの駆動電圧と同じ電圧で駆動することにより、発光素子２７から、白色光に対して赤と緑の波長域の光強度を低くした分光分布の光を出射させるようにしている。
【００９１】
図９はバックライト２５からの照射光の分光分布図であり、この実施例の照射光は、図に破線で示した白色光の分光分布に対して、青の波長帯域の光強度が同じで、赤及び緑の波長帯域の光強度が低くなった、青味を帯びた光である。
【００９２】
このように、バックライト２５から白色光に対して赤と緑の波長域の光強度を低くした分光分布の光を液晶表示素子１に向けて照射させると、液晶表示素子１の表示色の赤及び緑の強さが照射光の分光分布によって打ち消されるため、カラードットの帯色を無くし、色再現性の高いカラー画像を表示することができる。
【００９３】
図１０は、前記表示装置における白表示（赤、緑、青の全ての画素Ｒ，Ｇ，Ｂを点灯させたときの表示）の色度を示すＣＩＥ色度図であり、Ｗ１は、液晶表示素子１に白色光を入射させたときの白表示の色度を示し、Ｗ２は、液晶表示素子１に図９の分光分布の光を入射させたときの白表示の色度を示している。
【００９４】
図１０のように、液晶表示素子１に図９の分光分布の光を入射させたときの白表示の色度Ｗ２は、白色光を入射させたときの白表示の色度Ｗ１よりも無彩色点（ｘコーディネイト＝０．３１０、ｙコーディネイト＝０．３１７）に近く、従って、色再現性の高いカラー画像を表示することができる。
【００９５】
しかも、この実施例によれば、発光素子２７の三色のＬＥＤのうち、赤色ＬＥＤと緑色ＬＥＤを、白色光を出射させるときの駆動電圧よりも低い電圧で駆動するため、バックライト２５の消費電力を少なくすることができる。
【００９６】
そして、この表示装置は、行毎に、赤、緑、青の三色の画素Ｒ，Ｇ，Ｂが、二つの赤色画素Ｒ，Ｒと二つの緑色画素Ｇ，Ｇと一つの青色画素Ｂとが所定の順で並んだ配列順の繰り返しで配置された画素配列の液晶表示素子１を備えたものであるため、赤色画素と緑色画素と青色画素が行方向に交互に並ベて配置された通常の液晶表示素子を備えた表示装置に比べて開口率を高くすることができる。
【００９７】
すなわち、通常の液晶表示素子は、行毎に、画像データの走査線方向の各座標点毎の三色の階調データの総数と同じ数の画素を配置したものである。一方、上記実施例の液晶表示素子１は、行毎の赤色画素Ｒと緑色画素Ｇの数は画像データの走査線方向の各座標点毎の赤と緑の階調データの数と同じであるが、青色画素Ｂの数が、前記画像データの走査線方向の各座標点毎の青の階調データの数の１／２である。
【００９８】
従って、実施例の液晶表示素子１の画面サイズが通常の液晶表示素子の画面サイズと同じであるとすると、実施例の液晶表示素子１の一画素行の画素数は通常の液晶表示素子の５／６であり、各画素列毎に配置されたデータ信号線１４の数も通常の液晶表示素子の５／６である。
【００９９】
そのため、実施例の液晶表示素子１では、各画素Ｒ，Ｇ，Ｂを、通常の液晶表示素子の行方向に隣り合う二つのカラードット表現領域分の長さを五等分した幅に形成している。従って、実施例の液晶表示素子１の各画素Ｒ，Ｇ，Ｂの横幅（行方向の幅）は、通常の液晶表示素子よりも広くなっている。
【０１００】
図１１は実施例の液晶表示素子１と通常の液晶表示素子の画素幅の対比図であり、（ａ）は通常の液晶表示素子の画素幅を示し、（ｂ）は実施例の液晶表示素子１の画素幅を示している。
【０１０１】
図１１（ａ）のように、通常の液晶表示素子は、赤、緑、青の各色の三つの画素Ｒ，Ｇ，Ｂにより一座標分のカラードットを表現するものであり、一つのカラードット表現領域Ａａが、三つの画素Ｒ，Ｇ，Ｂに空間分割されている。一方、実施例の液晶表示素子１は、二つの赤色画素Ｒ，Ｒと二つの緑色画素Ｇ，Ｇと一つの青色画素Ｂにより二座標分のカラードットをするものであり、図１１（ｂ）のように、一つのカラードット表現領域Ａの行方向の長さが、通常の液晶表示素子の二つのカラードット表現領域Ａａ，Ａａ分の長さに相当する。そして、各カラードット表現領域Ａが、五つの画素Ｇ，Ｂ，Ｒ，Ｇ，Ｒに空間分割されている。従って、通常の液晶表示素子の二つのカラードット表現領域Ａａ，Ａａ分の長さをＬとすると、通常の液晶表示素子の各画素Ｒ，Ｇ，Ｂの横幅はＬ／６であるのに対し、実施例の液晶表示素子１の各画素Ｒ，Ｇ，Ｂの横幅はＬ／５である。なお、実施例の液晶表示素子１の各画素Ｒ，Ｇ，Ｂの縦幅（列方向の幅）は、通常の液晶表示素子と同じである。
【０１０２】
このように、実施例の液晶表示素子１は、各画素Ｒ，Ｇ，Ｂの横幅を通常の液晶表示素子よりも広くしているため、各画素Ｒ，Ｇ，Ｂの面積を通常の液晶表示素子よりも大きくすることができる。
【０１０３】
一方、液晶表示素子１の各画素Ｒ，Ｇ，Ｂの開口部は、ＴＦＴ７と走査信号線１３及びデータ信号線１４と容量電極１５を覆い隠すように形成された遮光膜１８で囲まれた領域である。
【０１０４】
図１２は実施例の液晶表示素子１と通常の液晶表示素子の一つの画素の開口面積の対比図であり、（ａ）は通常の液晶表示素子の一つの画素の開口面積を示し、（ｂ）は実施例の液晶表示素子１の一つの画素の開口面積を示している。図１２（ａ）及び（ｂ）において、１００は開口部、１０１は遮光膜１８が形成された非開口部である。
【０１０５】
なお、実施例の液晶表示素子１は、各画素Ｒ，Ｇ，Ｂの横幅を通常の液晶表示素子よりも広くしたものであるが、画素電極６に対するＴＦＴ７の配置位置及び該ＴＦＴ７の平面積と、走査信号線１３及びデータ信号線１４の線幅と、画素電極６と走査信号線１３との間隔と、画素電極６とデータ信号線１４との間隔と、画素電極６と容量電極１６との重なり幅は、何れも通常の液晶表示素子と同じある。
【０１０６】
従って、実施例の液晶表示素子１の各画素Ｒ，Ｇ，Ｂの非開口部１０１は、該非開口部１０１のうち、画素の上下の横辺に沿った部分が、画素の横幅が通常の液晶表示素子よりも広くなるのに伴って横方向に延びた形状であり、非開口部１０１の他の部分は通常の液晶表示素子と同じ形状である。それに対して、実施例の液晶表示素子１の各画素Ｒ，Ｇ，Ｂの開口部１０１は、該開口部１０１の全体に亘って横幅が通常の液晶表示素子よりも広くなった形状である。
【０１０７】
そのため、通常の液晶表示素子に対する実施例の液晶表示素子１の各画素Ｒ，Ｇ，Ｂの開口部１０１の面積の増加率と、非開口部１０１の面積の増加率は、開口部１０１の面積の増加率の方が大きい。
【０１０８】
従って、実施例の液晶表示素子１によれば、通常の液晶表示素子に比べて開口率を高くすることができる。例えば、２．５型の液晶表示素子の場合、通常の液晶表示素子の開口率は４９％程度であるが、実施例の液晶表示素子１の開口率は５５％であり、光の透過率を通常の液晶表示素子に比べて１３％程度向上させることができる。
【０１０９】
このように、上記実施例の表示装置は、液晶表示素子１の開口率を通常の液晶表示素子よりも高くすることができるため、明るいカラー画像を表示することができる。
【０１１０】
［第二実施例］
なお、液晶表示素子１の各行の画素配列は、図５の配列に限らず、例えば図１３に示した第二実施例のように、行方向の左端方向から右端方向に向かって、赤色画素Ｒ、青色画素Ｂ、緑色画素Ｇ、赤色画素Ｒ、緑色画素Ｇの順で並ぶように配置してもよい。この画素配列も、同色の画素同士が隣り合わない配列であるため、赤、緑、青の輝点がバランス良く分布した色混ざりの良いカラードットを表現することができる。
【０１１１】
［第三実施例］
図１４に示した第三実施例は、液晶表示素子１の各行の画素配列を、上記第一実施例とは左右が逆になった配列にしたものである。すなわち、この第三実施例では、赤、緑、青の三色の画素Ｒ，Ｇ，Ｂを、行方向の右端方向から左端方向に向かって、緑色画素Ｇ、青色画素Ｂ、赤色画素Ｒ、緑色画素Ｇ、赤色画素Ｒの順で並ぶように配置している。
【０１１２】
［第四実施例］
図１５に示した第四実施例は、液晶表示素子１の各行の画素配列を、上記第二実施例とは左右が逆になった配列にしたものである。すなわち、この第四実施例では、赤、緑、青の三色の画素Ｒ，Ｇ，Ｂを、行方向の右端方向から左端方向に向かって、赤色画素Ｒ、青色画素Ｂ、緑色画素Ｇ、赤色画素Ｒ、緑色画素Ｇの順で並ぶように配置している。
【０１１３】
［第五実施例］
図１６に示した第五実施例は、液晶表示素子１の各行の画素配列を、上記第一実施例と同じ配列にし、さらに、同じデータ信号線１４からデータ信号を供給される同色の画素を、奇数行と偶数行とで交互に、行方向に所定ピッチずらして配置したものである。
【０１１４】
なお、図１６では、同じデータ信号線１４からデータ信号を供給される同色の画素を、行毎に０．５ピッチずらしているが、各行の同色の画素のずれ量は１．５ピッチでもよい。また、前記第五実施例では、各行の画素配列を第一実施例と同じにしているが、各行の画素配列は、上記第二実施例から第四実施例の何れかの配列にしてもよい。
【０１１５】
［他の実施例］
上記第一から第５実施例では、カラードット表現領域Ａの両端と中央以外の個所、つまり左または右から二つ目に青色画素Ｒを配置しているが、カラードット表現領域Ａの画素配列は、左端または右端、或いは中央に青色画素Ｒを配置した配列でもよい。
【０１１６】
その場合も、赤、緑、青の各色の画素Ｒ，Ｇ，Ｂを、同色の画素同士が隣り合わないようにな配列順で配置することにより、赤、緑、青の輝点がバランス良く分布した色混ざりの良いカラードットを表現し、高品位のカラー画像を表示することができる。
【０１１７】
また、上記各実施例の表示装置における液晶表示素子１はＴＮ型液晶表示素子であるが、液晶表示素子は、ＴＮ型に限らず、ＳＴＮ型、非ツイストのホモジニアス配向型、垂直配向型、横電界制御型等の液晶表示素子でも、強誘電性または反強誘電性液晶表示素子でもよい。さらに、液晶表示素子は、ノーマリーホワイトモードに限らず、ノーマリーブラックモードの液晶表示素子でもよい。
【０１１８】
なお、ノーマリーブラックモードの液晶表示素子は、無電界時の透過率が最も低く、印加電圧を高くするのに伴って透過率が高くなるため、バックライトからの照射光が白色光であっても、青色画素への印加電圧を高くすることにより、青の表示色を強くすることができる。
【０１１９】
そのため、ノーマリーブラックモードの液晶表示素子を用いる場合は、前記液晶表示素子の背後に、白色光を液晶表示素子に向けて照射するバックライトを配置し、青色画素に、前記一方の座標点の青の階調データに対応した透過率と、前記他方の座標点の青の階調データに対応した透過率との平均透過率に対応した電圧を所定の比率で高くした電圧値のデータ信号を印加することにより、赤、緑、青の色バランスの良い高品位のカラー画像を表示することができる。
【０１２０】
また、表示素子は、液晶表示素子に限らず、有機ＥＬ表示素子またはプラズマ表示素子等の自発光型表示素子でもよい。その場合は、青色画素に、前記一方の座標点の青の階調データに対応した輝度と、前記他方の座標点の青の階調データに対応した輝度との平均輝度に対応した電圧を所定の比率で高くした電圧値のデータ信号を印加することにより、赤、緑、青の色バランスが良いカラー画像を表示することができる。
【符号の説明】
【０１２１】
１…液晶表示素子、Ｒ…赤色画素、Ｇ…緑色画素、Ｂ…青色画素、Ａ…カラードット表現領域、２５…バックライト、２８…駆動手段
【図１】
2012078491.tif 000003
【図２】
2012078491.tif 000004
【図３】
2012078491.tif 000005
【図４】
2012078491.tif 000006
【図５】
2012078491.tif 000007
【図６】
2012078491.tif 000008
【図７】
2012078491.tif 000009
【図８】
2012078491.tif 000010
【図９】
2012078491.tif 000011
【図１０】
2012078491.tif 000012
【図１１】
2012078491.tif 000013
【図１２】
2012078491.tif 000014
【図１３】
2012078491.tif 000015
【図１４】
2012078491.tif 000016
【図１５】
2012078491.tif 000017
【図１６】
2012078491.tif 000018